(57)【特許請求の範囲】
【請求項１】
画像保管手段に保管された画像データを読み出し、該読み出された画像データに対して所定の画像処理条件による画像処理を施して処理済み画像データを得、該処理済み画像データを該処理済み画像データの送信を要求した携帯端末装置へ送信する画像処理方法であって、
前記携帯端末装置の場所および前記送信を要求した時間の少なくとも一方並びに前記携帯端末装置の機種情報を含む端末情報を取得し、
該端末情報に基づいて前記画像処理のための第１の画像処理条件を設定し、
前記画像データに基づいて前記画像処理のための第２の画像処理条件を設定し、
前記第１および前記第２の画像処理条件に基づいて前記所定の画像処理条件を設定することを特徴とする画像処理方法。
【請求項２】
カメラ付き携帯端末装置において取得された、撮影場所および撮影時間に関する情報を含む撮影情報が付与された画像データに対して所定の画像処理条件による画像処理を施して処理済み画像データを得、該処理済み画像データを前記カメラ付き携帯端末装置へ送信する画像処理方法であって、
前記画像データから前記撮影情報を取得し、
該撮影情報に基づいて前記画像処理のための第１の画像処理条件を設定し、
前記画像データに基づいて前記画像処理のための第２の画像処理条件を設定し、
前記カメラ付き携帯端末装置の場所および前記送信を要求した時間の少なくとも一方並びに前記カメラ付き携帯端末装置の機種情報を含む端末情報を取得し、
該端末情報に基づいて前記画像処理のための第３の画像処理条件を設定し、
前記第１、前記第２および前記第３の画像処理条件に基づいて前記所定の画像処理条件を設定することを特徴とする画像処理方法。
【請求項３】
画像保管手段に保管された画像データを読み出す読出手段と、該読み出された画像データに対して所定の画像処理条件による画像処理を施して処理済み画像データを得る処理手段と、該処理済み画像データを該処理済み画像データの送信を要求した携帯端末装置へ送信する通信手段とを備えた画像処理装置であって、
前記携帯端末装置の場所および前記送信を要求した時間の少なくとも一方並びに前記携帯端末装置の機種情報を含む端末情報を取得する端末情報取得手段と、
該端末情報に基づいて前記画像処理のための第１の画像処理条件を設定する第１の画像処理条件設定手段と、
前記画像データに基づいて前記画像処理のための第２の画像処理条件を設定する第２の画像処理条件設定手段と、
前記第１および前記第２の画像処理条件に基づいて前記所定の画像処理条件を設定する最終画像処理条件設定手段とを備えたことを特徴とする画像処理装置。
【請求項４】
カメラ付き携帯端末装置において取得された、撮影場所および撮影時間に関する情報を含む撮影情報が付与された画像データに対して所定の画像処理条件による画像処理を施して処理済み画像データを得る処理手段と、該処理済み画像データを前記カメラ付き携帯端末装置へ送信する通信手段とを備えた画像処理装置であって、
前記画像データから前記撮影情報を取得する撮影情報取得手段と、
該撮影情報に基づいて前記画像処理のための第１の画像処理条件を設定する第１の画像処理条件設定手段と、
前記画像データに基づいて前記画像処理のための第２の画像処理条件を設定する第２の画像処理条件設定手段と、
前記カメラ付き携帯端末装置の場所および前記送信を要求した時間の少なくとも一方並びに前記カメラ付き携帯端末装置の機種情報を含む端末情報を取得する端末情報取得手段と、
前記端末情報に基づいて前記画像処理のための第３の画像処理条件を設定する第３の画像処理条件設定手段と、
前記第１、前記第２および前記第３の画像処理条件に基づいて前記所定の画像処理条件を設定する最終画像処理条件設定手段とを備えたことを特徴とする画像処理装置。
【請求項５】
画像保管手段に保管された画像データを読み出し、該読み出された画像データに対して所定の画像処理条件による画像処理を施して処理済み画像データを得、該処理済み画像データを該処理済み画像データの送信を要求した携帯端末装置へ送信する画像処理方法をコンピュータに実行させるためのプログラムであって、
前記携帯端末装置の場所および前記送信を要求した時間の少なくとも一方並びに前記携帯端末装置の機種情報を含む端末情報を取得する手順と、
該端末情報に基づいて前記画像処理のための第１の画像処理条件を設定する手順と、
前記画像データに基づいて前記画像処理のための第２の画像処理条件を設定する手順と、
前記第１および前記第２の画像処理条件に基づいて前記所定の画像処理条件を設定する手順とを有するプログラム。
【請求項６】
カメラ付き携帯端末装置において取得された、撮影場所および撮影時間に関する情報を含む撮影情報が付与された画像データに対して所定の画像処理条件による画像処理を施して処理済み画像データを得、該処理済み画像データを前記カメラ付き携帯端末装置へ送信する画像処理方法をコンピュータに実行させるためのプログラムであって、
前記画像データから前記撮影情報を取得する手順と、
該撮影情報に基づいて前記画像処理のための第１の画像処理条件を設定する手順と、
前記画像データに基づいて前記画像処理のための第２の画像処理条件を設定する手順と、
前記カメラ付き携帯端末装置の場所および前記送信を要求した時間の少なくとも一方並びに前記カメラ付き携帯端末装置の機種情報を含む端末情報を取得する手順と、
該端末情報に基づいて前記画像処理のための第３の画像処理条件を設定する手順と、
前記第１、前記第２および前記第３の画像処理条件に基づいて前記所定の画像処理条件を設定する手順とを有するプログラム。
【発明の詳細な説明】
【０００１】
【発明の属する技術分野】
本発明は、画像データに対して画像処理を施して処理済み画像データを得る画像処理方法および装置並びに画像処理方法をコンピュータに実行させるためのプログラムに関するものである。
【０００２】
【従来の技術】
デジタルカメラ等の撮像デバイスにより取得された画像データや、写真フイルムに記録された画像をスキャナにより読み取ることにより得られた画像データを、プリンタやモニタのような出力デバイスを用いて再生するシステムが知られている。ここで、画像データを再生する際には、画像データに対して濃度変換処理、ホワイトバランス調整処理、階調変換処理、彩度強調処理、シャープネス処理等の種々の画像処理を施すことにより、再生画像の画質を向上させることができる。この際、画像処理のための画像処理条件は、画像データを解析することにより求めることができる。
【０００３】
また、より高画質の再生画像を得るために、デジタルカメラにおいて得られた画像データに、撮影時のフラッシュのＯｎ／Ｏｆｆ、照明の種類、カメラのガンマ特性、レンズの焦点距離、レンズのＦ値、カメラ内にて行われたＡＥ処理の内容等の撮影条件を表す撮像情報を画像データのヘッダ情報やタグ情報として付与し、撮影情報が付与された画像データを出力し、画像処理を行う際には画像データに付与されている撮影情報を参照して、画像データに対してより適切な画像処理を施すようにした方法が提案されている（特開平１０−１９１２４６号公報）。また、ＧＰＳ機能を用いて画像データの撮影場所および撮影時間を表す情報を撮影情報に含め、撮影情報に基づいて撮影時の昼光の色温度を推定して画像データに対してホワイトバランス調整処理を施す方法も提案されている（特開２０００−２４４９４０号公報）。
【０００４】
ところで、携帯電話の普及には目覚ましいものがあるが、近年、撮影により画像データを取得する撮影手段を有するカメラ付き携帯電話等のカメラ付き携帯端末装置が普及しつつある（例えば特開平６−２３３０２０号公報、同９−３２２１１４号公報、同１０−１５０５２３号公報、特開２０００−２５３２９０号公報等）。このようなカメラ付き携帯端末装置を用いることにより、撮影により取得した自分の好みの画像データを携帯端末装置の待ち受け画面に設定できる。また、撮影により取得した画像データを電子メールに添付して友人が有する携帯電話やＰＤＡ等の携帯端末装置に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００５】
また、カメラ付き携帯電話において取得された画像データに対して、種々の画像処理を施して処理済み画像データを得る画像処理装置を備えた画像サーバが提案されている。このような画像サーバは、カメラ付き携帯端末装置から送信された画像データを受信し、カメラ付き携帯端末装置においてユーザにより指示された画像処理を画像データに対して施し、画像処理により得られた処理済み画像データをカメラ付き携帯端末装置においてユーザにより指示された送信先に送信するものである。さらに、画像サーバにおいて画像データを保管しておき、カメラ付き携帯端末装置からの要求に応じてカメラ付き携帯端末装置に画像データを送信することもできる。このような画像サーバにおいて画像データに対して画像処理を行うことにより、高画質の画像を待ち受け画面に設定したり、友人に送信できることとなる。
【０００６】
【発明が解決しようとする課題】
ところで、カメラ付き携帯端末装置に設けられているカメラはそれほど高機能のものではないため、カメラ付き携帯端末装置において得られる画像データにより表される画像はアンダー気味であり、それほど画質がよいものではない。このため、上記特開平１０−１９１２４６号公報および特開２０００−２４４９４０号公報に記載された方法のように、撮影情報に基づいて画像データに対して画像処理を施すことが考えられる。
【０００７】
しかしながら、カメラ付き携帯端末装置に設けられているカメラはそれほど高機能のものではないため、特開平１０−１９１２４６号公報に記載された方法において必要とされる撮影時のフラッシュのＯｎ／Ｏｆｆ、照明の種類、カメラのガンマ特性、レンズの焦点距離、レンズのＦ値、カメラ内にて行われたＡＥ処理の内容等の撮影条件を表す撮影情報は得ることができない。また、特開２０００−２４４９４０号公報に記載された方法は、撮影場所および撮影時間に基づいて画像データに対してホワイトバランス調整処理を施すものであるが、上述したようにカメラ付き携帯端末装置において得られた画像データは画質がそれほどよくないため、ホワイトバランス調整処理を行うのみでは高画質の画像を得ることができない。
【０００８】
本発明は上記事情に鑑みなされたものであり、とくにカメラ付き携帯端末装置に設けられたカメラのように、それほど高機能ではないカメラにおいて取得された画像データに対して画像処理を施して、高画質の画像を再生可能な処理済み画像データを得ることを目的とする。
【０００９】
また、カメラ付き携帯端末装置に画像データを表示するに際し、カメラ付き携帯端末装置に表示された画像の観察環境に応じて見やすい画像を再生することを目的とする。
【００１０】
【課題を解決するための手段】
本発明による第１の画像処理方法は、撮影場所および撮影時間に関する情報を含む撮影情報が付与された画像データに対して所定の画像処理条件による画像処理を施して処理済み画像データを得る画像処理方法であって、
前記画像データから前記撮影情報を取得し、
該撮影情報に基づいて前記画像処理のための第１の画像処理条件を設定し、
前記画像データに基づいて前記画像処理のための第２の画像処理条件を設定し、
前記第１および前記第２の画像処理条件に基づいて前記所定の画像処理条件を設定することを特徴とするものである。
【００１１】
「撮影場所に関する情報」としてはＧＰＳ機能を用いて緯度および経度まで含むものであってもよいが、例えば画像データがカメラ付き携帯端末装置において取得されたものである場合、撮影場所に最も近い場所にある携帯端末装置の基地局の所在地を撮影場所に関する情報として用いてもよい。また、基地局が屋内にある場合には、屋内である旨を撮影場所に関する情報として用いてもよい。
【００１２】
本発明による第２の画像処理方法は、画像保管手段に保管された画像データを読み出し、該読み出された画像データに対して所定の画像処理条件による画像処理を施して処理済み画像データを得、該処理済み画像データを該処理済み画像データの送信を要求した携帯端末装置へ送信する画像処理方法であって、
前記携帯端末装置の場所、前記送信を要求した時間および／または前記携帯端末装置の機種情報を含む端末情報を取得し、
該端末情報に基づいて前記画像処理のための第１の画像処理条件を設定し、
前記画像データに基づいて前記画像処理のための第２の画像処理条件を設定し、
前記第１および前記第２の画像処理条件に基づいて前記所定の画像処理条件を設定することを特徴とするものである。
【００１３】
本発明による第３の画像処理方法は、カメラ付き携帯端末装置において取得された、撮影場所および撮影時間に関する情報を含む撮影情報が付与された画像データに対して所定の画像処理条件による画像処理を施して処理済み画像データを得、該処理済み画像データを前記カメラ付き携帯端末装置へ送信する画像処理方法であって、
前記画像データから前記撮影情報を取得し、
該撮影情報に基づいて前記画像処理のための第１の画像処理条件を設定し、
前記画像データに基づいて前記画像処理のための第２の画像処理条件を設定し、
前記カメラ付き携帯端末装置の場所、前記送信を要求した時間および／または前記カメラ付き携帯端末装置の機種情報を含む端末情報を取得し、
該端末情報に基づいて前記画像処理のための第３の画像処理条件を設定し、
前記第１、前記第２および前記第３の画像処理条件に基づいて前記所定の画像処理条件を設定することを特徴とするものである。
【００１４】
本発明による第１の画像処理装置は、撮影場所および撮影時間に関する情報を含む撮影情報が付与された画像データに対して所定の画像処理条件による画像処理を施して処理済み画像データを得る処理手段を備えた画像処理装置であって、
前記画像データから前記撮影情報を取得する撮影情報取得手段と、
該撮影情報に基づいて前記画像処理のための第１の画像処理条件を設定する第１の画像処理条件設定手段と、
前記画像データに基づいて前記画像処理のための第２の画像処理条件を設定する第２の画像処理条件設定手段と、
前記第１および前記第２の画像処理条件に基づいて前記所定の画像処理条件を設定する最終画像処理条件設定手段とを備えたことを特徴とするものである。
【００１５】
本発明による第２の画像処理装置は、画像保管手段に保管された画像データを読み出す読出手段と、該読み出された画像データに対して所定の画像処理条件による画像処理を施して処理済み画像データを得る処理手段と、該処理済み画像データを該処理済み画像データの送信を要求した携帯端末装置へ送信する通信手段とを備えた画像処理装置であって、
前記携帯端末装置の場所、前記送信を要求した時間および／または前記携帯端末装置の機種情報を含む端末情報を取得する端末情報取得手段と、
該端末情報に基づいて前記画像処理のための第１の画像処理条件を設定する第１の画像処理条件設定手段と、
前記画像データに基づいて前記画像処理のための第２の画像処理条件を設定する第２の画像処理条件設定手段と、
前記第１および前記第２の画像処理条件に基づいて前記所定の画像処理条件を設定する最終画像処理条件設定手段とを備えたことを特徴とするものである。
【００１６】
本発明による第３の画像処理装置は、カメラ付き携帯端末装置において取得された、撮影場所および撮影時間に関する情報を含む撮影情報が付与された画像データに対して所定の画像処理条件による画像処理を施して処理済み画像データを得る処理手段と、該処理済み画像データを前記カメラ付き携帯端末装置へ送信する通信手段とを備えた画像処理装置であって、
前記画像データから前記撮影情報を取得する撮影情報取得手段と、
該撮影情報に基づいて前記画像処理のための第１の画像処理条件を設定する第１の画像処理条件設定手段と、
前記画像データに基づいて前記画像処理のための第２の画像処理条件を設定する第２の画像処理条件設定手段と、
前記カメラ付き携帯端末装置の場所、前記送信を要求した時間および／または前記カメラ付き携帯端末装置の機種情報を含む端末情報を取得する端末情報取得手段と、
前記端末情報に基づいて前記画像処理のための第３の画像処理条件を設定する第３の画像処理条件設定手段と、
前記第１、前記第２および前記第３の画像処理条件に基づいて前記所定の画像処理条件を設定する最終画像処理条件設定手段とを備えたことを特徴とするものである。
【００１７】
なお、本発明による第１から第３の画像処理方法をコンピュータに実行させるためのプログラムとして提供してもよい。
【００１８】
【発明の効果】
本発明による第１の画像処理方法および装置によれば、画像データに付与された撮影情報が取得され、この撮影情報に基づいて、画像処理のための第１の画像処理条件が設定される。この第１の画像処理条件は、撮影情報に含まれる撮影場所および撮影時間を考慮したものとなっている。一方、画像データに基づいて画像処理のための第２の画像処理条件が設定される。この第２の画像処理条件は画像データそのものが有する情報に基づくものである。そして、第１および第２の画像処理条件に基づいて、画像データに対して最終的に施す画像処理のための所定の画像処理条件が設定され、この所定の画像処理条件に基づいて画像データに対して画像処理が施されて処理済み画像データが得られる。
【００１９】
ここで、カメラ付き携帯端末装置に設けられたカメラはそれほど高機能ではないことから、撮影場所および撮影時間程度の撮影情報しか得られない場合が多い。また、このようなカメラにおいて取得される画像データにより表される画像は画質がそれほどよくないため、画像データに基づいて得られる画像処理条件のみを用いたのでは画像処理にも限界がある。本発明による第１の画像処理方法および装置によれば、撮影場所および撮影時間を考慮した第１の画像処理条件および画像データに基づいて得られる第２の画像処理条件の双方に基づいて所定の画像処理条件を設定して画像データに対して画像処理を施しているため、カメラ付き携帯端末装置に設けられたカメラのようにそれほど高機能ではないカメラにおいて取得された画像データであっても、高画質の画像を再生可能な処理済み画像データを得ることができる。
【００２０】
本発明による第２の画像処理方法および装置によれば、画像保管手段に保管された画像データの送信要求が携帯端末装置からあると、携帯端末装置の場所、送信を要求した時間および／または携帯端末装置の機種情報を含む端末情報が取得され、端末情報に基づいて、画像処理のための第１の画像処理条件が設定される。この第１の画像処理条件は、携帯端末装置の場所、送信を要求して画像を見る時間および／または機種の特性を考慮したものとなっている。一方、送信する画像データに基づいて画像処理のための第２の画像処理条件が設定される。この第２の画像処理条件は画像データそのものが有する情報に基づくものである。そして、第１および第２の画像処理条件に基づいて、画像データに対して最終的に施す画像処理のための所定の画像処理条件が設定され、この所定の画像処理条件に基づいて画像データに対して画像処理が施されて処理済み画像データが得られ、この処理済み画像データが携帯端末装置に送信される。
【００２１】
ここで、カメラ付き携帯端末装置には、様々な場所や時間帯等、多彩な表示環境下において画像が表示されるが、画像を観察する環境によっては表示された画像が見にくくなる場合がある。また、同一の画像であってもカメラ付き携帯端末装置の機種の特性に応じて画像の見え方が異なるものとなる場合がある。本発明による第２の画像処理方法および装置によれば、カメラ付き携帯端末装置の場所、画像を観察する時間および／または機種を考慮した第１の画像処理条件および画像データに基づいて得られる第２の画像処理条件の双方に基づいて所定の画像処理条件を設定して画像処理を行っているため、カメラ付き携帯端末装置においてはその観察環境および／または機種の特性に適した見やすい画像を再生することができる。
【００２２】
本発明による第３の画像処理方法および装置によれば、カメラ付き携帯端末装置において、撮影により画像データが取得される。この画像データには、撮影情報および端末情報が付与される。そして、画像データに付与された撮影情報が取得され、取得された撮影情報に基づいて、画像処理のための第１の画像処理条件が設定される。この第１の画像処理条件は、撮影情報に含まれる撮影場所および撮影時間を考慮したものとなっている。一方、画像データに基づいて画像処理のための第２の画像処理条件が設定される。この第２の画像処理条件は画像データそのものが有する情報に基づくものである。さらに、カメラ付き携帯端末装置の場所、送信を要求した時間および／または機種情報を含む端末情報が取得され、端末情報に基づいて、画像処理のための第３の画像処理条件が設定される。この第３の画像処理条件は、カメラ付き携帯端末装置の場所、送信を要求して画像を見る時間および／または機種の特性を考慮したものとなっている。そして、第１、第２および第３の画像処理条件に基づいて、画像データに対して最終的に施す画像処理のための所定の画像処理条件が設定され、この所定の画像処理条件に基づいて画像データに対して画像処理が施される。
【００２３】
ここで、カメラ付き携帯端末装置に設けられたカメラはそれほど高機能ではないことから、撮影場所および撮影時間程度の撮影情報しか得られない場合が多い。また、このようなカメラにおいて取得される画像データは画質がそれほどよくないため、画像データに基づいて得られる画像処理条件のみを用いたのでは画像処理にも限界がある。本発明による第３の画像処理方法および装置によれば、撮影場所および撮影時間を考慮した第１の画像処理条件および画像データに基づいて得られる第２の画像処理条件の双方に基づいて所定の画像処理条件を設定して画像処理を行っているため、カメラ付き携帯端末装置に設けられたカメラのようにそれほど高機能ではないカメラにおいて取得された画像データであっても、高画質の画像を再生可能な処理済み画像データを得ることができる。
【００２４】
また、カメラ付き携帯端末装置においては、様々な場所や時間帯等、多彩な表示環境の元で画像が表示されるが、画像を観察する環境によっては表示された画像が見にくくなる場合がある。また、同一の画像であってもカメラ付き携帯端末装置の機種の特性に応じて画像の見え方が異なるものとなる場合がある。本発明による第３の画像処理方法および装置によれば、撮影場所および撮影時間を考慮した第１の画像処理条件および画像データに基づいて得られる第２の画像処理条件に加えて、カメラ付き携帯端末装置の場所、画像を観察する時間および／または機種を考慮した第３の画像処理条件にも基づいて所定の画像処理条件を設定して画像処理を行っているため、カメラ付き携帯端末装置においてはその観察環境および／または機種の特性に適した見やすい画像を再生することができる。
【００２５】
【発明の実施の形態】
以下図面を参照して本発明の実施形態について説明する。図１は本発明の第１の実施形態による画像処理装置の構成を示す概略ブロック図である。図１に示すように、本発明の第１の実施形態による画像処理装置１０は、撮影場所および撮影時間を含む撮影情報Ｊ０がヘッダ情報またはタグ情報として付与された画像データＳ０の入力を受け付ける入力手段１１と、画像データＳ０のヘッダ情報またはタグ情報から撮影情報Ｊ０を読み出して撮影情報Ｊ０を取得する撮影情報取得手段１２と、撮影情報Ｊ０に基づいて画像データＳ０に対して施す画像処理のための第１の画像処理条件Ｇ１を設定する第１の画像処理条件設定手段１３と、画像データＳ０を解析して画像データＳ０に対して施す画像処理のための第２の画像処理条件Ｇ２を設定する第２の画像処理条件設定手段１４と、第１および第２の画像処理条件Ｇ１，Ｇ２に基づいて、画像データＳ０に対して施す画像処理のための最終的な画像処理条件である最終画像処理条件ＧＦ０を設定する最終画像処理条件設定手段１５と、最終画像処理条件ＧＦ０に基づいて画像データＳ０に対して画像処理を施して処理済み画像データＳ１を得る画像処理手段１６とを備える。
【００２６】
画像データＳ０は例えばカメラ付き携帯電話により撮影されたものであり、撮影時における時間が撮影時間として、さらに撮影時におけるカメラ付き携帯電話に最も近い場所にある基地局の場所の情報（住所、屋外、屋内等の比較的簡易な情報）が撮影情報としてヘッダ情報またはタグ情報に付与されている。なお、カメラ付き携帯電話に設けられたカメラはそれほど高機能のものではないため、画像データＳ０により表される画像もそれほど高画質ではないものである。
【００２７】
入力手段１１は、例えばカメラ付き携帯電話から送信された画像データＳ０を受信するための通信インターフェースからなる。なお、画像データＳ０が提供される態様に応じて、入力手段１１は、ＣＤ−Ｒドライブ、ＤＶＤ−Ｒドライブ等のメディアドライブ、ネットワークインターフェース等が用いられる。
【００２８】
第１の画像処理条件設定手段１３は、撮影情報Ｊ０に基づいて画像データＳ０に対して施す画像処理のための第１の画像処理条件Ｇ１を設定する。例えば、撮影情報Ｊ０に含まれる撮影場所が「屋外」であり、撮影時間が夜の場合には、概ねアンダー露出で撮影されたことが予想されるため、画像を明るくするような第１の画像処理条件Ｇ１が設定される。また、撮影場所が「屋内」であれば、照明がタングステン灯や蛍光灯であることが予想されるため、タングステン灯や蛍光灯に応じた色温度となるように画像のホワイトバランスを調整する第１の画像処理条件Ｇ１が設定される。
【００２９】
第２の画像処理条件設定手段１４は、画像データＳ０のヒストグラムや白色点を求める等により画像データＳ０を解析して、階調処理条件、濃度補正条件、色変換条件等の第２の画像処理条件Ｇ２を設定する。
【００３０】
最終画像処理条件設定手段１５は、第１および第２の画像処理条件Ｇ１，Ｇ２に基づいて最終画像処理条件ＧＦ０を設定する。ここで、第１の画像処理条件設定手段１３においては、撮影場所および撮影時間に応じた第１の画像処理条件Ｇ１が設定されるが、例えば夜の屋外であっても明るい場所があり、室内であっても照明がタングステン灯であるか蛍光灯であるかは分からないものである。このため、第１の実施形態においては、第１および第２の画像処理条件Ｇ１，Ｇ２の双方を用いて最終画像処理条件ＧＦ０を決定するようにしたものである。
【００３１】
例えば、第１の画像処理条件Ｇ１が画像を明るくするような条件である場合において、第２の画像処理条件Ｇ２も画像を明るくするような条件である場合には、アンダー露出の画像であるとして補正量を大きくして画像をさらに明るくするような最終画像処理条件ＧＦ０が設定される。逆に第１の画像処理条件Ｇ１が画像を明るくするような条件である場合において、第２の画像処理条件Ｇ２が画像の明るさを補正しないような条件である場合には、画像を若干明るくするような最終画像処理条件ＧＦ０が設定される。
【００３２】
また、第１の画像処理条件Ｇ１が室内用の画像処理条件であり、第２の画像処理条件がタングステン灯用の画像処理条件である場合には、室内であることを考慮してタングステン灯用のホワイトバランス調整量を大きくした最終画像処理条件ＧＦ０が設定される。
【００３３】
画像処理手段１６は、最終画像処理条件ＧＦ０に基づいて画像データＳ０に対して画像処理を施して処理済み画像データＳ１を得る。
【００３４】
次いで、第１の実施形態の動作について説明する。図２は第１の実施形態において行われる処理を示すフローチャートである。まず、入力手段１１において画像データＳ０の入力が受け付けられ（ステップＳ１）、撮影情報取得手段１２において、画像データＳ０に付与された撮影情報Ｊ０が取得される（ステップＳ２）。そして、第１の画像処理条件設定手段１３において、撮影情報Ｊ０に基づいて第１の画像処理条件Ｇ１が設定される（ステップＳ３）。一方、第２の画像処理条件設定手段１４において、画像データＳ０に基づいて第２の画像処理条件Ｇ２が設定される（ステップＳ４）。なお、ステップＳ２およびステップＳ３の処理とステップＳ４の処理とは逆であってもよく、また並列に行ってもよい。
【００３５】
次いで、最終画像処理条件設定手段１５において、第１および第２の画像処理条件Ｇ１，Ｇ２に基づいて最終画像処理条件ＧＦ０が設定される（ステップＳ５）。そして、画像処理手段１６において最終画像処理条件ＧＦ０に基づいて画像データＳ０に対して画像処理が施されて処理済み画像データＳ１が得られ（ステップＳ６）、処理を終了する。処理済み画像データＳ１はモニタやプリンタにおいて再生に供される。
【００３６】
このように、第１の実施形態においては、撮影情報Ｊ０に基づいて設定された第１の画像処理条件Ｇ１と、画像データＳ０に基づいて設定された第２の画像処理条件Ｇ２とに基づいて最終画像処理条件ＧＦ０を設定するようにしたものである。
【００３７】
ここで、カメラ付き携帯電話のような携帯端末装置に設けられたカメラはそれほど高機能ではないことから、撮影場所および撮影時間程度の撮影情報Ｊ０しか得られない場合が多い。また、このようなカメラにおいて取得される画像データＳ０により表される画像は画質がそれほどよくないため、画像データＳ０に基づいて得られる第２の画像処理条件Ｇ２のみを用いたのでは画像処理にも限界がある。第１の実施形態においては、撮影情報Ｊ０に基づいて設定された第１の画像処理条件Ｇ１と、画像データＳ０に基づいて設定された第２の画像処理条件Ｇ２とに基づいて最終画像処理条件ＧＦ０を設定して画像データＳ０に対して画像処理を施しているため、携帯端末装置に設けられたカメラのようにそれほど高機能ではないカメラにおいて取得された画像データＳ０であっても、高画質の画像を再生可能な処理済み画像データＳ１を得ることができる。
【００３８】
次いで、本発明の第２の実施形態について説明する。図３は、本発明の第２の実施形態による画像処理装置の構成を示す概略ブロック図である。本発明の第２の実施形態による画像処理装置２０は、カメラ付き携帯電話５０からの要求に応じて画像データＳ０に対して画像処理を施して処理済み画像データＳ１を得、得られた処理済み画像データＳ１をカメラ付き携帯電話５０に送信するようにしたものである。
【００３９】
図３に示すように、本発明の第２の実施形態による画像処理装置２０は、画像データＳ０を保管するハードディスク等の画像データ記憶手段２１と、カメラ付き携帯電話５０から送信された、画像の送信を要求するための要求情報Ｒ０に基づいて、画像データ記憶手段２１から要求情報Ｒ０に応じた画像データＳ０を読み出す読出手段２２と、読出手段２２により画像データ記憶手段２１から読み出された画像データＳ０を解析して画像データＳ０に対して施す画像処理のための第１の画像処理条件Ｇ１１を設定する第１の画像処理条件設定手段２３と、要求情報Ｒ０に含まれるカメラ付き携帯電話５０の場所、要求を行った時間および／またはカメラ付き携帯電話５０の機種情報を含む端末情報Ｔ０を取得する端末情報取得手段２４と、端末情報Ｔ０に基づいて画像データＳ０に対して施す画像処理のための第２の画像処理条件Ｇ１２を設定する第２の画像処理条件設定手段２５と、第１および第２の画像処理条件Ｇ１１，Ｇ１２に基づいて、画像データＳ０に対して施す画像処理のための最終的な画像処理条件である最終画像処理条件ＧＦ１を設定する最終画像処理条件設定手段２６と、最終画像処理条件ＧＦ１に基づいて画像データＳ０に対して画像処理を施して処理済み画像データＳ１を得る画像処理手段２７と、要求情報Ｒ０の受信や処理済み画像データＳ１の送信を行う通信手段２８とを備える。
【００４０】
カメラ付き携帯電話５０は、カメラ付き携帯電話５０のユーザの操作により、第２の実施形態による画像処理装置２０に対して、所望とする画像データＳ０の送信を要求する。具体的には、カメラ付き携帯電話５０において、画像データ記憶手段２１に記憶された画像データＳ０のファイル名を指定することにより送信を要求する画像データＳ０が指定される。これにより、画像データＳ０の送信を要求するための要求情報Ｒ０がカメラ付き携帯電話５０において生成される。ここで、要求情報Ｒ０には、送信を要求する画像データＳ０のファイル名に加えて、カメラ付き携帯電話５０の場所、要求を行った時間および／またはカメラ付き携帯電話５０の機種情報を含む端末情報Ｔ０が含められる。そして、カメラ付き携帯電話５０のユーザにより要求情報Ｒ０が画像処理装置２０に対して送信される。
【００４１】
画像データ記憶手段２１は、カメラ付き携帯電話５０やデジタルカメラ等の種々の画像生成装置において生成された画像データＳ０を複数記憶してなるものである。
【００４２】
読出手段２２は、要求情報Ｒ０に含まれる画像データＳ０のファイル名に基づいて、画像データ記憶手段２１から画像データＳ０を読み出す。
【００４３】
第１の画像処理条件設定手段２３は、読み出された画像データＳ０のヒストグラムや白色点を求める等により画像データＳ０を解析して、階調処理条件、濃度補正条件、色変換条件等の第１の画像処理条件Ｇ１１を設定する。
【００４４】
第２の画像処理条件設定手段２５は、要求情報Ｒ０に含まれる端末情報Ｔ０に基づいて画像データＳ０に対して施す画像処理のための第２の画像処理条件Ｇ１２を設定する。例えば、端末情報Ｔ０に含まれる場所の情報が「屋外」であり、要求した時間が夜の場合には、画像が暗い場所で見られることを想定して、階調を立てて硬調化するような第２の画像処理条件Ｇ１２が設定される。
【００４５】
また、端末情報Ｔ０にカメラ付き携帯電話５０の機種名が含まれている場合には、そのカメラ付き携帯電話５０の表示部における特性に基づいて色味を補正する第２の画像処理条件Ｇ１２が設定される。例えば、画像データＳ０の送信要求を行ったカメラ付き携帯電話５０の表示部が赤みを帯びた特性を有するものである場合、色味を青味に寄せる第２の画像処理条件Ｇ１２が設定される。ここで、カメラ付き携帯電話５０の機種情報と表示部の特性との関係は不図示のメモリにデータベースとして記憶されており、第２の画像処理条件設定手段２５においてはこのデータベースが参照されて第２の画像処理条件Ｇ１２が設定される。
【００４６】
最終画像処理条件設定手段２６は、第１および第２の画像処理条件Ｇ１１，Ｇ１２に基づいて最終画像処理条件ＧＦ１を設定する。ここで、カメラ付き携帯電話５０においては、様々な場所や時間帯等、多彩な観察環境下において画像が表示されるが、画像を観察する環境によっては表示された画像が見にくくなる場合がある。また、カメラ付き携帯電話５０の機種の特性によっても画像の見え方が異なるものとなる場合がある。このため、第２の実施形態においては、カメラ付き携帯電話５０の端末情報Ｔ０に基づいて、カメラ付き携帯電話５０の場所、画像を観察する時間および／または機種の特性を考慮した第１の画像処理条件Ｇ１２および画像データＳ０に基づいて得られる第１の画像処理条件Ｇ１１の双方を用いて最終画像処理条件ＧＦ１を決定するようにしたものである。
【００４７】
例えば、第１の画像処理条件Ｇ１１が階調を軟調化するような条件である場合において、第２の画像処理条件Ｇ１２が階調を硬調化するような条件である場合には、画像の観察環境を考慮して階調を硬調化する最終画像処理条件ＧＦ１が設定される。また、第１の画像処理条件Ｇ１１が階調を硬調化するような条件である場合において、第２の画像処理条件Ｇ２も階調を硬調化するような条件である場合には、画像をさらに硬調化するような最終画像処理条件ＧＦ１が設定される。
【００４８】
画像処理手段２７は、最終画像処理条件ＧＦ１に基づいて画像データＳ０に対して画像処理を施して処理済み画像データＳ１を得る。
【００４９】
通信手段２８は、カメラ付き携帯電話５０から送信された要求情報Ｒ０を受信し、処理済み画像データＳ１をカメラ付き携帯電話５０に送信する通信インターフェースとしての機能を有するものである。
【００５０】
次いで、第２の実施形態の動作について説明する。図４は第２の実施形態において行われる処理を示すフローチャートである。まず、通信手段２８においてカメラ付き携帯電話５０から送信された要求情報Ｒ０が受信され（ステップＳ１１）、読出手段２２において、要求情報Ｒ０に含まれた画像データＳ０のファイル名に基づいて、画像データ記憶手段２１から画像データＳ０が読み出される（ステップＳ１２）。そして、第１の画像処理条件設定手段２３において、画像データＳ０に基づいて第１の画像処理条件Ｇ１１が設定される（ステップＳ１３）。
【００５１】
一方、端末情報取得手段２４において、要求情報Ｒ０に含まれる端末情報Ｔ０が取得される（ステップＳ１４）。そして、第２の画像処理条件設定手段２５において、端末情報Ｔ０に基づいて第２の画像処理条件Ｇ１２が設定される（ステップＳ１５）。なお、ステップＳ１２およびステップＳ１３の処理とステップＳ１４およびステップＳ１５の処理とは逆に行ってもよく、また並列に行ってもよい。
【００５２】
次いで、最終画像処理条件設定手段２６において、第１および第２の画像処理条件Ｇ１１，Ｇ１２に基づいて最終画像処理条件ＧＦ１が設定される（ステップＳ１６）。そして、画像処理手段２７において最終画像処理条件ＧＦ１に基づいて画像データＳ０に対して画像処理が施されて処理済み画像データＳ１が得られる（ステップＳ１７）。処理済み画像データＳは通信手段２８からカメラ付き携帯電話５０に送信され（ステップＳ１８）、処理を終了する。処理済み画像データＳ１はカメラ付き携帯電話５０の表示部において表示される。
【００５３】
このように、第２の実施形態においては、画像データＳ０に基づいて設定された第１の画像処理条件Ｇ１１と、端末情報Ｔ０に基づいて設定された第２の画像処理条件Ｇ１２とに基づいて最終画像処理条件ＧＦ１を設定するようにしたものである。
【００５４】
ここで、カメラ付き携帯電話５０には、様々な場所や時間帯等多彩な表示環境下において画像が表示されるが、画像を観察する環境によっては表示された画像が見にくくなる場合がある。また、同一の画像であってもカメラ付き携帯電話５０の機種の特性に応じて画像の見え方が異なるものとなる場合がある。
【００５５】
第２の実施形態においては、画像データＳ０に基づいて得られる第１の画像処理条件Ｇ１１およびカメラ付き携帯電話５０の場所、画像を観察する時間および／または機種を考慮した第２の画像処理条件Ｇ１２の双方に基づいて最終画像処理条件ＧＦ１を設定して画像処理を行っているため、カメラ付き携帯電話５０においては、その観察環境および／または機種の特性に適した見やすい画像を再生することができる。
【００５６】
次いで、本発明の第３の実施形態について説明する。図５は本発明の第３の実施形態による画像処理装置の構成を示す概略ブロック図である。本発明の第３の実施形態による画像処理装置３０は、カメラ付き携帯電話５０から送信された画像データＳ０に対して画像処理を施して処理済み画像データＳ１を得、得られた処理済み画像データＳ１をカメラ付き携帯電話５０に送信するようにしたものである。
【００５７】
図５に示すように、本発明の第３の実施形態による画像処理装置３０は、カメラ付き携帯電話５０から送信された画像データＳ０を受信するとともに、処理済み画像データＳ１をカメラ付き携帯電話５０に送信する通信手段３１と、画像データＳ０に付与された撮影場所および撮影時間を含む撮影情報Ｊ０を取得する撮影情報取得手段３２と、撮影情報Ｊ０に基づいて画像データＳ０に対して施す画像処理のための第１の画像処理条件Ｇ２１を設定する第１の画像処理条件設定手段３３と、画像データＳ０を解析して画像データＳ０に対して施す画像処理のための第２の画像処理条件Ｇ２２を設定する第２の画像処理条件設定手段３４と、画像データＳ０に付与された、カメラ付き携帯電話５０の場所、要求を行った時間および／またはカメラ付き携帯電話５０の機種情報を含む端末情報Ｔ０を取得する端末情報取得手段３５と、端末情報Ｔ０に基づいて画像データＳ０に対して施す画像処理のための第３の画像処理条件Ｇ２３を設定する第３の画像処理条件設定手段３６と、第１、第２および第３の画像処理条件Ｇ２１，Ｇ２２，Ｇ２３に基づいて、画像データＳ０に対して施す画像処理のための最終的な画像処理条件である最終画像処理条件ＧＦ２を設定する最終画像処理条件設定手段３７と、最終画像処理条件ＧＦ２に基づいて画像データＳ０に対して画像処理を施して処理済み画像データＳ１を得る画像処理手段３８とを備える。
【００５８】
カメラ付き携帯電話５０においては、撮影により画像データＳ０が取得されるが、撮影時における時間が撮影時間として、さらに撮影時におけるカメラ付き携帯電話５０に最も近い場所にある基地局の場所の情報（住所、屋外、屋内等の比較的簡易な情報）が撮影情報Ｊ０としてヘッダ情報またはタグ情報に付与される。また、カメラ付き携帯電話５０の場所、画像データＳ０を送信した時間および／またはカメラ付き携帯電話５０の機種情報を含む端末情報Ｔ０もヘッダ情報またはタグ情報に付与されている。なお、カメラ付き携帯電話５０に設けられたカメラはそれほど高機能のものではないため、画像データＳ０により表される画像もそれほど高画質ではないものとなっている。
【００５９】
通信手段３１は、カメラ付き携帯電話５０から送信された画像データＳ０を受信し、処理済み画像データＳ１をカメラ付き携帯電話５０に送信する通信インターフェースとしての機能を有するものである。
【００６０】
撮影情報取得手段３２は、第１の実施形態における撮影情報取得手段１２と同様に、画像データＳ０に付与された撮影情報Ｊ０を取得する。
【００６１】
第１の画像処理条件設定手段３３は、第１の実施形態における第１の画像処理条件設定手段１３と同様に、撮影情報Ｊ０に基づいて画像データＳ０に対して施す画像処理のための第１の画像処理条件Ｇ２１を設定する。
【００６２】
第２の画像処理条件設定手段３４は、第１の実施形態における第２の画像処理条件設定手段１４および第２の実施形態における第１の画像処理条件設定手段２３と同様に、画像データＳ０を解析して画像データＳ０に対して施す画像処理のための階調処理条件、濃度補正条件、色変換条件等の第２の画像処理条件Ｇ２２を設定する。
【００６３】
端末情報取得手段３５は、画像データＳ０に付与された端末情報Ｔ０を取得する。
【００６４】
第３の画像処理条件設定手段３６は、第２の実施形態における第２の画像処理条件設定手段２５と同様に、端末情報Ｔ０に基づいて画像データＳ０に対して施す画像処理のための第３の画像処理条件Ｇ２３を設定する。
【００６５】
次いで、第３の実施形態の動作について説明する。図６は第３の実施形態において行われる処理を示すフローチャートである。まず、通信手段３１においてカメラ付き携帯電話５０から送信された画像データＳ０が受信され（ステップＳ２１）、撮影情報取得手段３２において、画像データＳ０に付与された撮影情報Ｊ０が取得される（ステップＳ２２）。そして、第１の画像処理条件設定手段３３において、撮影情報Ｊ０に基づいて第１の画像処理条件Ｇ２１が設定される（ステップＳ２３）。
【００６６】
一方、第２の画像処理条件設定手段３４において、画像データＳ０に基づいて第２の画像処理条件Ｇ２２が設定される（ステップＳ２４）。
【００６７】
さらに、端末情報取得手段３５において、画像データＳ０に付与された端末情報Ｔ０が取得される（ステップＳ２５）。そして、第３の画像処理条件設定手段３６において、端末情報Ｔ０に基づいて第３の画像処理条件Ｇ２３が設定される（ステップＳ２６）。なお、ステップＳ２２およびステップＳ２３の処理と、ステップＳ２４の処理と、ステップＳ２５およびステップＳ２６の処理との順序を変更してもよく、また、ステップＳ２２およびステップＳ２３の処理と、ステップＳ２４の処理と、ステップＳ２５およびステップＳ２６の処理とを並列に行ってもよい。
【００６８】
次いで、最終画像処理条件設定手段３７において、第１、第２および第３の画像処理条件Ｇ２１，Ｇ２２，Ｇ２３に基づいて最終画像処理条件ＧＦ２が設定される（ステップＳ２７）。そして、画像処理手段３８において最終画像処理条件ＧＦ２に基づいて画像データＳ０に対して画像処理が施されて処理済み画像データＳ１が得られる（ステップＳ２８）。処理済み画像データＳ１は通信手段３１からカメラ付き携帯電話５０に送信され（ステップＳ２９）、処理を終了する。処理済み画像データＳ１はカメラ付き携帯電話５０の表示部において表示される。
【００６９】
このように、第３の実施形態においては、撮影情報Ｊ０に基づいて設定された第１の画像処理条件Ｇ２１と、画像データＳ０に基づいて設定された第２の画像処理条件Ｇ２２と、端末情報Ｔ０に基づいて設定された第３の画像処理条件Ｇ２３とに基づいて最終画像処理条件ＧＦ２を設定するようにしたものである。
【００７０】
ここで、カメラ付き携帯電話５０に設けられたカメラはそれほど高機能ではないことから、撮影場所および撮影時間程度の撮影情報Ｊ０しか得られない場合が多い。また、このようなカメラにおいて取得される画像データＳ０により表される画像は画質がそれほどよくないため、画像データＳ０に基づいて得られる第２の画像処理条件Ｇ２２のみを用いたのでは画像処理にも限界がある。第３の実施形態においては、撮影情報Ｊ０に基づいて設定された第１の画像処理条件Ｇ２１と、画像データＳ０に基づいて設定された第２の画像処理条件Ｇ２２と、端末情報Ｔ０に基づいて設定された第３の画像処理条件Ｇ２３とに基づいて最終画像処理条件ＧＦ２を設定して画像データＳ０に対して画像処理を行っているため、カメラ付き携帯電話５０に設けられたカメラのようにそれほど高機能ではないカメラにおいて取得された画像データＳ０であっても、高画質の画像を再生可能な処理済み画像データＳ１を得ることができる。
【００７１】
また、カメラ付き携帯電話５０には、様々な場所や時間帯等多彩な表示環境下において画像が表示されるが、画像を観察する環境によっては表示された画像が見にくくなる場合がある。また、同一の画像であってもカメラ付き携帯電話５０の機種の特性に応じて画像の見え方が異なるものとなる場合がある。第３の実施形態においては、カメラ付き携帯電話５０の場所、画像を観察する時間および／または機種を考慮した第３の画像処理条件Ｇ２３にも基づいて最終画像処理条件ＧＦ２を設定して画像処理を行っているため、カメラ付き携帯電話５０においては、その観察環境および／または機種の特性に適した見やすい画像を再生することができる。
【図面の簡単な説明】
【図１】本発明の第１の実施形態による画像処理装置の構成を示す概略ブロック図
【図２】第１の実施形態において行われる処理を示すフローチャート
【図３】本発明の第２の実施形態による画像処理装置の構成を示す概略ブロック図
【図４】第２の実施形態において行われる処理を示すフローチャート
【図５】本発明の第３の実施形態による画像処理装置の構成を示す概略ブロック図
【図６】第３の実施形態において行われる処理を示すフローチャート
【符号の説明】
１０，２０，３０    画像処理装置
１１    入力手段
１２，３２    撮影情報取得手段
１３，１４，２３，２５，３３，３４，３６    画像処理条件設定手段
１５，２６，３７    最終画像処理条件設定手段
１６，２７，３８    画像処理手段
２１    画像データ記憶手段
２２    読出手段
２４，３５    端末情報取得手段
２８，３１    通信手段
【図１】
0003967162.tif 000002
【図２】
0003967162.tif 000003
【図３】
0003967162.tif 000004
【図４】
0003967162.tif 000005
【図５】
0003967162.tif 000006
【図６】
0003967162.tif 000007